(57)【要約】【課題】ユーザが選択した分野に合理的に関連した分野の情報を配信することができる広告配信システムを提供する。【解決手段】広告配信サーバ（１２）が、第１の配信条件を満たす広告がある場合、当該広告を利用者端末装置（１１）に配信し、前記利用者端末装置に広告を配信する条件を前記第１の配信条件から第２の配信条件に変更する配信条件変更広告と、前記第２の配信条件を満たす広告とをあわせて前記利用者端末装置に配信する。【選択図】図１
2010134648.tif 000002
【特許請求の範囲】
【請求項１】
広告配信サーバからネットワークを介して利用者端末装置に広告を配信する広告配信システムであって、
前記広告配信サーバは、
第１の配信条件を満たす広告がある場合、当該広告を前記利用者端末装置に配信し、
前記利用者端末装置に広告を配信する条件を前記第１の配信条件から第２の配信条件に変更する配信条件変更広告と、前記第２の配信条件を満たす広告とをあわせて前記利用者端末装置に配信することを特徴とする広告配信システム。
【請求項２】
広告配信サーバからネットワークを介して利用者端末装置に広告を配信する広告配信システムであって、
前記広告配信サーバは、
前記利用者端末装置に配信する広告を規定する第１の配信条件を前記利用者端末装置から取得する手段と、
広告データベースに格納された広告のうち前記第１の配信条件を満たす広告を取得し、前記利用者端末装置に配信する手段と、
配信条件変更広告データベースに格納された広告のうち前記第１の配信条件を第２の配信条件に変更する配信条件変更広告を取得する手段と、
前記広告データベースに格納された広告のうち前記第２の配信条件を満たす広告を取得する手段と、
取得した前記第２の配信条件を満たす広告を前記配信条件変更広告と共に前記利用者端末装置に配信する手段とを備えることを特徴とする広告配信システム。
【請求項３】
前記第１の配信条件及び前記第２の配信条件は、広告の分野に関する条件と、広告の地域に関する条件と、広告が対象とする人数に関する条件のうち少なくとも１つを含むことを特徴とする請求項１又は２に記載の広告配信システム。
【請求項４】
前記第１の配信条件は、前記利用者端末装置においてユーザ操作によって入力された情報を含むことを特徴とする請求項１乃至３のいずれか１項に記載の広告配信システム。
【請求項５】
前記利用者端末装置は、位置測定装置を備え、
前記第１の配信条件は、前記位置測定装置が取得した位置に関する情報を含むことを特徴とする請求項１乃至４のいずれか１項に記載の広告配信システム。
【請求項６】
ネットワークを介して利用者端末装置に広告を配信する広告配信サーバであって、
前記利用者端末装置に配信する広告を規定する第１の配信条件を前記利用者端末装置から取得する手段と、
広告データベースに格納された広告のうち前記第１の配信条件を満たす広告を取得し、前記利用者端末装置に配信する手段と、
配信条件変更広告データベースに格納された広告のうち前記第１の配信条件を第２の配信条件に変更する配信条件変更広告を取得する手段と、
前記広告データベースに格納された広告のうち前記第２の配信条件を満たす広告を取得する手段と、
取得した前記第２の配信条件を満たす広告を前記配信条件変更広告と共に前記利用者端末装置に配信する手段とを備えることを特徴とする広告配信サーバ。
【請求項７】
前記第１の配信条件及び前記第２の配信条件は、広告の分野に関する条件と、広告の地域に関する条件と、広告が対象とする人数に関する条件のうち少なくとも１つを含むことを特徴とする請求項６に記載の広告配信サーバ。
【請求項８】
利用者端末装置から第１の配信条件を取得するステップと、
広告データベースに格納された広告のうち前記第１の配信条件を満たす広告を取得し、前記利用者端末装置に配信するステップと、
配信条件変更広告データベースに格納された広告のうち前記第１の配信条件を第２の配信条件に変更する配信条件変更広告を取得するステップと、
前記広告データベースに格納された広告のうち前記第２の配信条件を満たす広告を取得し、前記配信条件変更広告と共に前記利用者端末装置に配信するステップとを含むことを特徴とする広告配信方法。
【請求項９】
前記第１の配信条件及び前記第２の配信条件は、広告の分野に関する条件と、広告の地域に関する条件と、広告が対象とする人数に関する条件のうち少なくとも１つを含むことを特徴とする請求項８に記載の広告配信方法。
【請求項１０】
請求項８又は９に記載の広告配信方法をコンピュータに実行させるプログラム。
【請求項１１】
請求項１０に記載のプログラムを格納したコンピュータ読み取り可能な記憶媒体。
【発明の詳細な説明】
【技術分野】
【０００１】
本発明は、携帯電話、パーソナルコンピュータ、ＰＤＡ（Personal Digital Assistants）などの端末装置と情報配信サーバを組み合わせた広告配信システムに関する。
【背景技術】
【０００２】
広告の配信には、不特定多数へ配信する場合と、特定少数へ配信する場合とがある。不特定多数への配信は、例えばＴＶのＣＭがあり、広い範囲へ告知を行う。このような不特定多数への配信は、必要としていない人にも告知することになり、潜在ニーズを呼び起こす利点がある一方で、需要の少ない広告の場合はコストに見合った効果が得られないという欠点がある。特定少数への配信は、例えばメール通知サービスがあり、この場合、利用者は事前に自分の情報や配信を希望する分野の登録を行う。
【０００３】
特許文献１には、ユーザが興味のある分野を選択、登録し、その情報を通知することで、より効果的に広告配信を行うことができる広告配信システムが開示されている。
【０００４】
【特許文献１】特開２００２−４９８３８号公報
【発明の開示】
【発明が解決しようとする課題】
【０００５】
しかし、特許文献１で開示されているような広告配信システムでは、配信する情報はユーザが選択した分野に限られてしまい、潜在ニーズを呼び起こすことができないという問題がある。
【０００６】
本発明は、上記問題点を解決するためになされたものであり、ユーザが選択した分野に合理的に関連した分野の情報を配信することができる広告配信システムを提供する。
【課題を解決するための手段】
【０００７】
本発明の広告配信システムは、広告配信サーバが、第１の配信条件を満たす広告がある場合、当該広告を利用者端末装置に配信し、前記利用者端末装置に広告を配信する条件を前記第１の配信条件から第２の配信条件に変更する配信条件変更広告と、前記第２の配信条件を満たす広告とをあわせて前記利用者端末装置に配信することを特徴とする。
【０００８】
本発明の他の広告配信システムは、広告配信サーバが、利用者端末装置に配信する広告を規定する第１の配信条件を前記利用者端末装置から取得する手段と、広告データベースに格納された広告のうち前記第１の配信条件を満たす広告を取得し、前記利用者端末装置に配信する手段と、配信条件変更広告データベースに格納された広告のうち前記第１の配信条件を第２の配信条件に変更する配信条件変更広告を取得する手段と、前記広告データベースに格納された広告のうち前記第２の配信条件を満たす広告を取得する手段と、取得した前記第２の配信条件を満たす広告を前記配信条件変更広告と共に前記利用者端末装置に配信する手段とを備えることを特徴とする。
【０００９】
前記第１の配信条件及び前記第２の配信条件は、広告の分野に関する条件と、広告の地域に関する条件と、広告が対象とする人数に関する条件のうち少なくとも１つを含んでもよい。
【００１０】
前記第１の配信条件は、前記利用者端末装置においてユーザ操作によって入力された情報を含んでもよい。
前記利用者端末装置は、位置測定装置を備え、前記第１の配信条件は、前記位置測定装置が取得した位置に関する情報を含んでもよい。
【発明の効果】
【００１１】
本発明の広告配信システムによれば、ユーザが選択した分野に合理的に関連した分野の情報を配信することができる。
【発明を実施するための最良の形態】
【００１２】
図１は、本発明の実施の形態における広告配信システムの構成図である。広告配信システムは、利用者端末装置１１と、利用者端末装置１１へ広告の配信を行う広告配信サーバ１２と、利用者端末装置１１に対応する広告の配信条件のデータベースである配信条件データベース１３と、広告のデータベースである広告データベース１４と、配信条件変更広告のデータベースである配信条件変更広告データベース１５と、ネットワーク１６とを含む。
【００１３】
利用者端末装置１１と広告配信サーバ１２とを結ぶネットワーク１６は、例えばインターネット、無線ＬＡＮ、イントラネットのような有線あるいは無線のネットワークである。また、別の例としてＲＦＩＤ、ＩｒＤＡのような通信網である。
【００１４】
広告配信サーバ１２は、広告データベース１４が保持する広告情報を利用者端末装置１１へ配信する。
配信条件データベース１３には、利用者が配信を希望する広告の条件が保持されている。配信条件データベース１３、広告データベース１４、配信条件変更広告データベース１５の各々は、この例ではデータベース用のサーバである。また、別の例として、これらのデータベースは、広告配信サーバ１２上のデータ領域でもよい。
【００１５】
図２は、図１に示す利用者端末装置１１の構成の一例を示すブロック図である。利用者端末装置１１は、配信条件送信部２１と、揮発性メモリ２２と、不揮発性メモリ２３と、通信制御部２４と、主制御部２５と、広告データ受信部２６と、表示部２７と、操作部２８とを備える。
【００１６】
配信条件送信部２１は、配信される広告の条件である配信条件の送信を行う。配信条件は、例えば操作部２８から直接入力された条件である。また、別の例として利用者端末装置１１の使用情報から得られる条件である。この場合、例えば利用者端末装置１１が位置測定装置（図示せず）を通して取得した位置情報を配信条件として送信する。別の例として、メール機能にて入力したメール文章から抽出された文字列を配信条件として送信する。
【００１７】
揮発性メモリ２２は、利用者が操作部２８から入力した情報など一時的なデータを記憶する。不揮発性メモリ２３は、プログラムや広告データ受信部２６が受信した広告のデータなどのデータを記憶する。
【００１８】
通信制御部２４は、配信条件送信部２１や広告データ受信部２６など利用者端末装置１１全体の通信の制御を行う。
主制御部２５は、不揮発性メモリ２３が記憶するプログラムの実行や利用者端末装置１１全体の制御を行う。
広告データ受信部２６は、広告データの受信を行う。表示部２７は、受信した広告データの表示など画面表示を行う。操作部２８は、利用者による操作を受け付ける。
【００１９】
図３は、図１に示す広告配信サーバ１２の構成の一例を示すブロック図である。広告配信サーバ１２は、配信条件受信部３１と、配信条件保存部３２と、配信条件取得部３３と、配信条件変更部３４と、揮発性メモリ３５と、不揮発性メモリ３６と、通信制御部３７と、主制御部３８と、広告データ送信部３９と、広告データ取得部４０と、配信条件変更広告データ取得部４１と、条件比較部４２とを備える。
【００２０】
配信条件受信部３１は、利用者端末装置１１に配信する広告の配信条件の受信を行う。配信条件は、例えば利用者端末装置１１から送信されてくる。また別の例では、利用者端末装置１１が利用したサービスから受信する。例えば、利用者端末装置１１が掲示板サービスに投稿した文章から抽出を行う。
【００２１】
配信条件保存部３２は、配信条件受信部３１で受信した配信条件を保存する。保存先は例えば不揮発性メモリ３６である。また別の例では、広告配信サーバ１２とは別の保存装置に保存する。
【００２２】
配信条件取得部３３は、配信条件保存部３２で保存した配信条件の取得を行う。配信条件取得部３３は、配信条件受信部３１が受信した配信条件を直接取得してもよい。
【００２３】
配信条件変更部３４は、配信条件変更広告データに従い、配信条件取得部３３が取得した配信条件の変更を行う。
揮発性メモリ３５は、受信した配信条件など一時的なデータを記憶する。不揮発性メモリ３６は、プログラムなどのデータを記憶する。
【００２４】
通信制御部３７は、配信条件受信部３１や広告データ送信部３９など広告配信サーバ１２全体の通信の制御を行う。
主制御部３８は、不揮発性メモリ３６が記憶するプログラムの実行や広告配信サーバ１２全体の制御を行う。
【００２５】
広告データ送信部３９は、利用者端末装置１１へ向けた広告データの送信を行う。配信条件変更広告データがある場合は、配信条件変更広告データもあわせて送信する。
広告データ取得部４０は、配信条件取得部３３が取得した配信条件または配信条件変更部３４が変更を行った配信条件に関連のある広告データの取得を行う。例えば、不揮発性メモリ３６が記憶する広告データの取得を行う。また別の例では、広告配信サーバ１２とは別の装置から取得を行う。
【００２６】
配信条件変更広告データ取得部４１は、配信条件取得部３３が取得した配信条件または配信条件変更部３４が変更を行った配信条件に関連のある配信条件変更広告データの取得を行う。例えば不揮発性メモリ３６が記憶する配信条件変更広告データの取得を行う。また別の例では、広告配信サーバ１２とは別の装置から取得を行う。
【００２７】
条件比較部４２は、広告データまたは配信条件変更広告に関連付けられた配信条件と配信条件取得部３３が取得した配信条件と比較を行い条件を満たすかどうか判断する。
【００２８】
図４は、配信条件データベース１３に格納されるデータの一例を示す表である。配信条件データベース１３には、利用者と配信条件が関連付けて格納される。この例において、利用者１は「ラーメン」の分野、「千葉」の地域、「１」人の人数という条件で配信を希望している。利用者２は「レジャー」の分野、「北海道」の地域、「１」人の人数という条件で配信を希望している。
【００２９】
図５は、広告データベース１４に格納されるデータの一例を示す表である。広告データベース１４には、広告と配信条件が関連付けて格納される。この例において、広告１は「ラーメン」の情報であり、地域は「宮崎」、人数は「１〜４」人向けの広告になっている。広告２は「レジャー」の情報であり、地域は「北海道」、人数は「２〜４」人向けの広告になっている。広告３は「ラーメン」の情報であり、地域は「千葉」、人数は「１〜４」人向けの広告になっている。この場合、利用者１へ配信可能な広告は広告３のみで、利用者２へは配信可能な広告はない。
【００３０】
図６は、配信条件変更広告データベース１５に格納されるデータの一例を示す表である。配信条件変更広告データベース１５は、配信条件を変更する変更広告のデータを格納する。この例において、変更広告１は「航空チケット」の分野の広告であり、地域の条件を「千葉」から「宮崎」へと変更する。変更広告２は「出会いサービス」の分野の広告であり、人数の条件を「１」人から「２」人へと変更する。
【００３１】
図４において、利用者１は「千葉」の地域の広告の配信を希望していたが、変更広告１と組み合わせることで地域条件が「千葉」から「宮崎」へと変更され、図５の広告１を利用者１へ配信することが可能となる。
【００３２】
同様に図４において、利用者２は「１」人の人数を希望していたが、変更広告２と組み合わせることで人数条件が「１」人から「２」人へと変更され、図５の広告２を利用者２へ配信することが可能となる。
このように利用者へ配信可能な広告が増え、さらにはあわせて全く別の広告を配信可能となる。
【００３３】
図７は、本発明の実施の形態における広告配信システムにおける処理の流れを説明するフローチャートである。ステップＳ１０１〜Ｓ１０２は図１に示す利用者端末装置１１における処理であり、ステップＳ２０１〜Ｓ２０８は図１に示す広告配信サーバ１２における処理である。
【００３４】
まず利用者端末装置１１は、ステップＳ１０１において、広告配信サーバ１２に配信条件を送信する。広告配信サーバ１２は、ステップＳ２０１において、受信した配信条件を配信条件データベース１３に保存する。配信条件は利用者端末装置１１から直接ではなく、例えば利用者端末装置１１からの他のサービスの利用履歴から配信条件を抽出してもよい。また別の例として、利用者端末装置１１の利用者が別の端末から送信した配信条件を用いてもよい。
【００３５】
広告配信サーバ１２は、利用者端末装置１１に広告を配信するにあたり、ステップＳ２０２において、配信条件データベース１３から配信条件を取得する。ステップＳ２０１とステップＳ２０２は連続して行う必要はなく、事前に保存した配信条件を用いてもよい。
【００３６】
広告配信サーバ１２は、ステップＳ２０３において、広告データベース１４中の広告とステップＳ２０２で取得した配信条件とを比較する。ステップＳ２０４において、一致した広告がある場合、ステップＳ２０５に進み、一致した広告がない場合、ステップＳ２０６に進む。ステップＳ２０５において、利用者端末装置１１にステップＳ２０４で一致した広告を配信する。利用者端末装置１１は、ステップＳ１０２において、ステップＳ２０５で配信された広告を受信する。ステップＳ２０５において配信を行う条件は完全一致である必要はなく、部分一致であってもよい。また、配信を行う一致の条件を利用者端末装置１１から登録してもよい。
【００３７】
ステップＳ２０５における広告配信後、もしくはステップＳ２０４で条件が一致する広告がない場合、広告配信サーバ１２は、ステップＳ２０６において、配信条件変更広告データベース１５中の配信条件変更広告の変更前の配信条件とステップＳ２０１で取得した配信条件を比較する。ステップＳ２０７において、一致した配信条件変更広告がある場合、ステップＳ２０８に進み、一致した配信条件変更広告がない場合、処理を終了する。ステップＳ２０８において、ステップＳ２０１で取得した配信条件を配信条件変更広告の変更後の配信条件に変更し、再度ステップＳ２０３からの処理を行う。このときステップＳ２０４において一致した広告がある場合には、ステップＳ２０７で一致した配信条件変更広告もあわせて利用者端末装置１１に配信する。
【００３８】
本発明によれば、ユーザが登録した第１の配信条件を満たす広告だけでなく、第１の配信条件を第２の配信条件に変更する配信条件変更広告と共に第２の配信条件を満たす広告も配信することができるので、効果的に利用者の潜在ニーズを呼び起こすことができる。
【産業上の利用可能性】
【００３９】
本発明は広告配信システムに利用可能である。
【図面の簡単な説明】
【００４０】
【図１】本発明の実施の形態における広告配信システムの構成図である。
【図２】利用者端末装置１１の構成の一例を示すブロック図である。
【図３】広告配信サーバ１２の構成の一例を示すブロック図である。
【図４】配信条件データベース１３に格納されるデータの一例を示す表である。
【図５】広告データベース１４に格納されるデータの一例を示す表である。
【図６】配信条件変更広告データベース１５に格納されるデータの一例を示す表である。
【図７】本発明の実施の形態における広告配信システムにおける処理の流れを説明するフローチャートである。
【符号の説明】
【００４１】
１１  利用者端末装置
１２  広告配信サーバ
１３  配信条件データベース
１４  広告データベース
１５  配信条件変更広告データベース
１６  ネットワーク
２１  配信条件送信部
２２  揮発性メモリ
２３  不揮発性メモリ
２４  通信制御部
２５  主制御部
２６  広告データ送信部
２７  表示部
２８  操作部
３１  配信条件受信部
３２  配信条件保存部
３３  配信条件取得部
３４  配信条件変更部
３５  揮発性メモリ
３６  不揮発性メモリ
３７  通信制御部
３８  主制御部
３９  広告データ送信部
４０  広告データ取得部
４１  配信条件変更広告データ取得部
４２  条件比較部
【図１】
2010134648.tif 000003
【図２】
2010134648.tif 000004
【図３】
2010134648.tif 000005
【図４】
2010134648.tif 000006
【図５】
2010134648.tif 000007
【図６】
2010134648.tif 000008
【図７】
2010134648.tif 000009